(57)【要約】【課題】  車内部品が引き出された状態で乗員の身体が接触しても互いに損傷等を受けることがなく、使用に便利なインパネの上部位置等に車内部品を設置することができる。【解決手段】  引出し端で車内部品１を保持するとともに所定以上の荷重が作用した時に車内部品１から離脱するように当該車内部品１の後端に係止された保持部材４と、車内部品１の後端に設けられた回転軸５２と、車体側に設けられ、引出し端に至った車内部品１の回転軸５２を回転可能に受け入れる軸受け部材６とを備えている。上記保持部材４から車内部品１に向けて金属製ストッパ体４３を延出させてその先端部４３１を車内部品１に係止させ、所定以上の荷重の作用によって上記先端部４３１が変形して車内部品１への係止が解消されるようにする。【選択図】        図４
2005047444.tif 000002
【特許請求の範囲】
【請求項１】
車室内へ引き出して使用される車内部品の保持構造であって、引出し端で車内部品を保持するとともに所定以上の荷重が作用した時に前記車内部品と離脱するように当該車内部品の後端に係止された保持部材と、前記車内部品の後端に設けられた回転軸と、車体側に設けられ、引出し端に至った前記車内部品の回転軸を回転可能に受け入れる軸受け部材とを具備する車内部品の保持構造。
【請求項２】
前記保持部材を、照明ランプを内蔵したバルブケースと兼用させた請求項１に記載の車内部品の保持構造。
【請求項３】
前記保持部材から前記車内部品に向けて金属製ストッパ体を延出させてその先端部を車内部品に係止させ、所定以上の荷重の作用によって上記先端部が変形して車内部品への係止が解消されるようにした請求項１又は２に記載の車内部品の保持構造。
【発明の詳細な説明】
【技術分野】
【０００１】
本発明は、灰皿やカップホルダ等の、車室内へ引き出して使用される車内部品の保持構造に関する。
【背景技術】
【０００２】
図６に示すように、灰皿やカップホルダ等の、車室内へ引き出して使用する車内部品７を車両のインストルメントパネル（インパネ）２に設ける場合には、車両衝突時等に、引き出され突出した状態の車内部品７に乗員の身体が触れることがないように、インパネ２内の低い位置に設けている。なお、車室内へ引き出して使用する灰皿が例えば特許文献１や特許文献２に示されている。
【特許文献１】実開平６−７８０６４号
【特許文献２】特開平８−２１６７５９号
【発明の開示】
【発明が解決しようとする課題】
【０００３】
しかし、上記従来の車内部品７の設置位置では、車内部品７がシフトレバーの背後になる等のために使用に不便であるという問題があった。
【０００４】
そこで本発明はこのような課題を解決するもので、引き出された状態で乗員の身体が接触しても互いに損傷等を受けることがなく、使用に便利なインパネの上部位置等に車内部品を設置することができる車内部品の保持構造を提供することを目的とする。
【課題を解決するための手段】
【０００５】
上記目的を達成するために、本第１発明では、車室内へ引き出して使用される車内部品（１）の保持構造であって、引出し端で車内部品（１）を保持するとともに所定以上の荷重が作用した時に車内部品（１）から離脱するように当該車内部品（１）の後端に係止された保持部材（４）と、車内部品（１）の後端に設けられた回転軸（５２）と、車体側に設けられ、引出し端に至った車内部品（１）の回転軸（５２）を回転可能に受け入れる軸受け部材（６）とを具備している。
【０００６】
本第１発明において、車内部品を車室内へ引き出すと、車内部品に係止された保持部材は一体にリテーナ内を移動し、保持部材によって引出し端にて車内部品は引き出された状態で保持される。この状態で、車両の衝突等によって乗員の身体が車内部品に触れてこれに過度な荷重が作用すると、保持部材の係止状態が解消されて車内部品から離脱する。そこで、軸受け部材内に回転可能に受け入れられた回転軸を中心にして車内部品は荷重作用方向とは反対方向へ旋回移動する。これにより、乗員身体やこれが触れた車内部品が互いに損傷することが避けられる。このような車内部品は、使用に便利なインパネの上部位置等に設置することができる。
【０００７】
本第２発明では、上記保持部材（４）を、照明ランプ（４１）を内蔵したバルブケースと兼用させる。これにより、部品点数を削減することができる。
【０００８】
本第３発明では、上記保持部材（４）から車内部品（１）に向けて金属製ストッパ体（４３）を延出させてその先端部（４３１）を車内部品（１）に係止させ、所定以上の荷重の作用によって上記先端部（４３１）が変形して車内部品（１）への係止が解消されるようにする。本第３発明においては、保持部材が車内部品から離脱し始める荷重を正確に設定することができる。
【０００９】
なお、上記カッコ内の符号は、後述する実施形態に記載の具体的手段との対応関係を示すものである。
【発明の効果】
【００１０】
以上のように、本発明の車内部品の保持構造によれば、引き出された状態で乗員の身体が接触しても互いに損傷等を受けることがないから、車内部品を、使用に便利なインパネの上部位置等に設置することができる。
【発明を実施するための最良の形態】
【００１１】
図１には本発明の保持構造を備えた車内部品としての車両用灰皿１の断面図を示す。灰皿１は上方のナビゲーション機器Ｎと下方のラジオＲとの間のインパネ２内に設置されている。すなわち、インパネ２の灰皿設置部には、インパネ２表面に開口する矩形容器状のリテーナ３が設けられて、当該リテーナ３内にインパネ２の内外方向（図１の左右方向）へ移動可能に保持部材４が配設されている。保持部材４は本実施形態では照明ランプ４１を内蔵したバルブケースを兼ねており、その上下端がリテーナ３の上下の内壁に接近している。
【００１２】
灰皿本体１１の前端は取手を兼ねたパネル部１２となっており、灰皿本体１１の中間凹陥部内には上方へ開放する容器状の受け皿１３が挿置されている。灰皿本体１１の後端部は図２に示すようにその中央部が凹陥させてあり、この凹陥部１４内に上記保持部材４が挿入装着されている。すなわち、凹陥部１４には対向する左右の内側面に角穴１４１（図２に一方のみ示す）が形成されており、一方、保持部材４の左右の外側面には上面を傾斜面とした楔状の凸部４２が形成されて、凹陥部１４内に保持部材４を下方から押し込むと角穴１４１内に凸部４２が進入嵌合し、保持部材４が灰皿本体１１に離脱可能に係止される。
【００１３】
図１において、保持部材４にはストッパ体４３が設けてある。ストッパ体４３は一定幅の金属板を屈曲成形したもので、その基端は保持部材４の背面の、上下方向の中央位置にビス止めされている。ストッパ体４３は保持部材４の縦壁４４に設けた開口４４１を経て前方へ延び、その先端部４３１は上方へ屈曲している。そして、上記先端部４３１は灰皿本体１１の凹陥部１４の中央上縁に下方へ向けて突出形成された係止壁１４２に係止されている。ストッパ体４３は左右（図１の紙面垂直方向）にそれぞれ設けられて、各基端が、保持部材４の縦壁４４背面の左右位置に形成された取付座４４２（図２）に捩じ込まれたビス４４３（図１）によって保持部材４に固定されている。
【００１４】
灰皿本体１１の後端下方にはその幅方向（図１の紙面垂直方向）へ軸部材５が延設されている。軸部材５はその両端部５１（図３に一方のみ示す）が後方へ屈曲した後、さらに上方へ屈曲して幅広とした上端が上下二箇所で灰皿本体１１の後端外側面にビス止め固定されている。軸部材５は正面視では略Ｕ字形となっており、その水平部は回転軸５２となっている。一方、リテーナ３の開口下縁には軸受け部材６が設けてある。軸受け部材６は金属板を、一辺を長くした略コ字断面に屈曲成形したもので、長辺側がリテーナ３の底壁面に接合されている。
【００１５】
このような保持構造の灰皿１を使用する場合には、灰皿本体１１のパネル部１２下縁を掴んで図４に示すように灰皿本体１１を車室内へ引き出す。この時、保持部材４は灰皿本体１１と一体にリテーナ３内を移動し、その上端および下端の前面が、リテーナ３の開口上縁に位置するベゼル２１とリテーナ３の開口下縁に位置する軸受け部材６の端面にそれぞれ当接する。これにより灰皿本体１１のそれ以上の引き出しが規制されて、灰皿本体１１は車内へ引き出された状態になる。この状態で、灰皿本体１１に設けた軸部材５の回転軸５２は、コ字断面をなす軸受け部材６の空間内へ進入する。
【００１６】
灰皿本体１１が車内へ引き出された状態で、車両の衝突等によって乗員の身体が灰皿本体１１に触れてこれに下方への過度な荷重が作用すると、図５に示すように、保持部材４に設けたストッパ体４３の、屈曲した先端部４３１が略直線状に変形して灰皿本体１１の係止壁１４２との係止状態が解消される。同時に、保持部材４の凸部４２（図２）と灰皿本体１１の角穴１４１との嵌合も解消されて、灰皿本体１１が保持部材４と分離する。そして、軸受け部材６内に位置する回転軸５２を中心にして灰皿本体１１は下方へ旋回移動し（図４の鎖線）、これにより、乗員身体や灰皿本体１１が互いに損傷することが避けられる。
【００１７】
なお、上記実施形態において、ストッパ体先端部４３１の強度は、通常の灰皿使用時には変形せず、車両衝突時等の過大な荷重でのみ上記先端部４３１が変形するようなものに設定される。そこで、保持部材４の凸部４２と灰皿本体１１の角穴１４１との嵌合強度を、通常の灰皿使用時には嵌合が解消されず、車両衝突時等の過大な荷重でのみ嵌合が解消されるように適度に設定することができれば、ストッパ体４３を特に設ける必要はない。また、複数のストッパ体４３を適宜配置してこれらストッパ体４３によって、引き出された灰皿本体１１を保持できるようにすれば、上記凸部４２と角穴１４１は必ずしも設ける必要はない。
【図面の簡単な説明】
【００１８】
【図１】本発明の一実施形態を示す、インパネ内に押し込まれた状態での、保持構造を備えた車両用灰皿の垂直断面図である。
【図２】本発明の一実施形態を示す、保持構造を備えた車両用灰皿の後部分解斜視図である。
【図３】本発明の一実施形態を示す、インパネ内に押し込まれた状態での、保持構造を備えた車両用灰皿の側面図である。
【図４】本発明の一実施形態を示す、インパネ内から引き出された状態での、保持構造を備えた車両用灰皿の垂直断面図である。
【図５】本発明の一実施形態を示す、保持構造を備えた車両用灰皿の要部断面図である。
【図６】従来のインパネ表面の部品配置を示す斜視図である。
【符号の説明】
【００１９】
１…灰皿、１１…灰皿本体、２…インストルメントパネル、４…保持部材、４１…照明ランプ、４３…ストッパ体、４３１…先端、５…軸部材、５２…回転軸、６…軸受け部材。
【図１】
2005047444.tif 000003
【図２】
2005047444.tif 000004
【図３】
2005047444.tif 000005
【図４】
2005047444.tif 000006
【図５】
2005047444.tif 000007
【図６】
2005047444.tif 000008